【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
歪んだ中間画像を生成するための第一のステージと、
歪ませることによって前記中間画像の前記歪みを実質的にキャンセルして前記中間画像に対応する実質的に歪みのない画像を投影するための広角レンズステージである第二のステージとを備えており、
前記第一のステージが、表１の仕様に基づいた複数のレンズを備えてなる、レンズシステム。
【表１】
2006523318.tif 000001
【請求項２】
歪んだ中間画像を生成するための第一のステージと、
歪ませることによって前記中間画像の前記歪みを実質的にキャンセルして前記中間画像に対応する実質的に歪みのない画像を投影するための広角レンズステージである第二のステージとを備えており、
前記第二のステージが、表２の仕様に基づいた複数のレンズを備えてなる、レンズシステム。
【表２】
2006523318.tif 000002
【請求項３】
スクリーンと、
歪んだ中間画像を作成するための第１のステージと、歪ませることによって前記中間画像の前記歪みを実質的にキャンセルして前記中間画像に対応するほぼ歪みのない画像を前記スクリーン上に投影するための少なくとも１００°のフィールドを提供する広角レンズステージである第二のステージとを有する広角レンズシステムとを備えており、
前記歪んだ中間画像は、広角レンズにより生成される広角歪みに適合させるために歪まされていると共に、前記歪んだ中間画像が略円形画像である、表示装置。
【請求項４】
前記画像を前記スクリーン上に反射するためにほぼ平面形状の背面鏡をさらに備えており、該背面鏡が前記広角レンズシステムの光軸に対して略垂直になるとともに前記スクリーンに対して略平行になるように構成されている、請求項３記載の表示装置。
【請求項５】
前記広角レンズシステムにより投影される前記画像を前記背面鏡上に反射するために略平面状の中間鏡をさらに備えており、該中間鏡が前記背面鏡に対して略平行になるように構成されている、請求項４記載の表示装置。
【請求項６】
前記スクリーンが、全反射（ＴＩＲ）型フレネルレンズを備えてなる、請求項５記載の表示装置。
【請求項７】
前記スクリーンが、屈折型フレネルレンズを備えてなる、請求項３記載の表示装置。
【請求項８】
前記広角レンズシステムが、前記レンズフィールドのうちの半分の部分を用いて前記画像を投影するように構成されている、請求項５記載の表示装置。
【請求項９】
前記広角レンズシステムが、前記レンズフィールドのうちの２分の１より小さい部分を用いて前記画像を投影するように構成されている、請求項３記載の表示装置。
【請求項１０】
前記広角レンズシステムに前記画像を提供するために微小電気機械システム（ＭＥＭＳ）をさらに備えてなる、請求項３記載の表示装置。
【請求項１１】
前記広角レンズシステムに前記画像を提供するためにデジタルマイクロミラー装置（ＤＭＤ）をさらに備えてなる、請求項１０記載の表示装置。
【請求項１２】
前記広角レンズシステムに前記画像を提供するためにグレーティングライトバルブ（ＧＬＶ）をさらに備えてなる、請求項３記載の表示装置。
【請求項１３】
前記広角レンズシステムに前記画像を提供するために液晶表示装置（ＬＣＤ）をさらに備えてなる、請求項３記載の表示装置。
【請求項１４】
前記広角レンズシステムに前記画像を提供するために反射型液晶素子（ＬＣＯＳ）をさらに備えてなる、請求項１３記載の表示装置。
【請求項１５】
歪んだ中間画像を生成するためにリレイレンズ群を用いて画像を投影することと、
ほぼ歪みのない最終画像を生成するために広角レンズ群を用いて前記歪んだ中間画像を投影することとを含んでおり、
前記第一のレンズ群により引き起こされる歪みが、前記第二のレンズ群により引き起こされる歪みとほぼ等しく符号が反対であるように構成され、
前記広角レンズ群が、表３の仕様に基づいた複数のレンズを備えてなる、方法。
【表３】
2006523318.tif 000003
【請求項１６】
歪んだ中間画像を生成するためにリレイレンズ群を用いて画像を投影することと、
ほぼ歪みのない最終画像を生成するために広角レンズ群を用いて前記歪んだ中間画像を投影することとを含んでおり、
前記リレイレンズ群が、表４の仕様に基づいた複数のレンズを備えており、  前記第一のレンズ群により引き起こされる歪みが、前記第二のレンズ群により引き起こされる歪みとほぼ等しく符号が反対であるように構成されてなる、方法。
【表４】
2006523318.tif 000004
【請求項１７】
略円形画像である歪みのある中間画像を生成するリレイレンズ群と、
広角に歪ませることによって前記中間画像の歪みを実質的にキャンセルして前記中間画像に対応する３％より小さい歪みを有する画像を投影する少なくとも１００°のフィールドを提供する広角レンズ群と
を備えてなる、レンズシステム。
【請求項１８】
前記リレイレンズ群のすべてのレンズが同軸にあるように構成されている、請求項１７記載のレンズシステム。
【請求項１９】
前記広角レンズ群のすべてのレンズが同軸にあるように構成されている、請求項１８記載のレンズシステム。
【請求項２０】
前記広角レンズ群と前記リレイレンズ群とが同軸にあるように構成されている、請求項１９記載のレンズシステム。
【請求項２１】
前記広角レンズ群の光軸と前記リレイレンズ群の光軸が角度を形成するように構成されている、請求項１９記載のレンズシステム。
【請求項２２】
前記角度が約９０°であるように構成されている、請求項２１記載のレンズシステム。
【請求項２３】
前記角度が９０°より実質的に小さくなるように構成されている、請求項２１記載のレンズシステム。
【請求項２４】
前記角度が９０°より実質的に大きくなるように構成されている、請求項２１記載のレンズシステム。
【請求項２５】
前記広角レンズステージは、１００°フルフィールドより大きくなるように構成されている、請求項３記載の表示装置。  
【請求項２６】
円形に歪んだ中間画像を生成するための第一のステージと、
１００°フルフィールドより大きい広角レンズを用いて前記中間画像の前記円形歪みを実質的にキャンセルし、前記中間画像に対応する実質的に歪みのない画像を投影する第二のステージと
を備えてなる、レンズシステム。
【請求項２７】
前記第一のステージの光軸と前記第二のステージの光軸とが角度を形成するように構成されている、請求項２６記載のレンズシステム。
【請求項２８】
前記角度が約９０°になるように構成されている、請求項２７記載のレンズシステム。
【請求項２９】
前記角度が９０°より実質的に小さくなるように構成されている、請求項２７記載のレンズシステム。
【請求項３０】
前記角度が９０°より実質的に大きくなるように構成されている、請求項２７記載のレンズシステム。
【請求項３１】
前記第一のステージの複数のレンズが同軸であり、前記第二のステージの複数のレンズが同軸であるように構成されている、請求項２６記載のレンズシステム。
【請求項３２】
前記歪みが３％よりも小さくなるように構成されている、請求項２６記載のレンズシステム。
【請求項３３】
前記広角度の最大角度における相対照度が３０％より大きい、請求項２６記載のレンズシステム。
【請求項３４】
スクリーンに画像を表示するためのレンズシステムであって、
歪んだ中間画像を生成するための第一のステージと、
１００°フルフィールドより大きい広角度の広角レンズを有する広角レンズステージである第二のステージとを備えており、
前記第二のステージは、広角歪みにより前記中間画像の前記歪みを実質的にキャンセルして前記中間画像に対応する実質的に歪みのない画像を投影し、
前記第一のステージと前記第二のステージとが同軸で、前記第一のステージの複数のレンズは前記第二のステージの複数のレンズと同軸であり、
前記広角レンズステージの光軸は前記スクリーンに対して垂直である、請求項１記載のレンズシステム。
【請求項３５】
前記第一のステージの光軸と前記第二のステージの光軸とが角度を形成するように構成されている、請求項３４記載のレンズシステム。
【請求項３６】
前記角度が約９０°であるように構成されている、請求項３５記載のレンズシステム。
【請求項３７】
前記角度が９０°より実質的に小さくなるように構成されている、請求項３５記載のレンズシステム。
【請求項３８】
前記角度が９０°より実質的に大きくなるように構成されている、請求項３５記載のレンズシステム。
【請求項３９】
前記歪みが３％よりも小さくなるように構成されている、請求項３４記載のレンズシステム。
【請求項４０】
前記広角度の最大角度における相対照度が３０％より大きい、請求項３４記載のレンズシステム。
【請求項４１】
前記広角度が１００°フルフィールドより大きくなるように構成されている、請求項３４記載のレンズシステム。
【請求項４２】
前記中間画像は湾曲した像面内にある、請求項２６記載のレンズシステム。
【請求項４３】
前記中間画像は略半円形状の画像である、請求項３４記載のレンズシステム。
【請求項４４】
前記中間画像は略半円形状の画像である、請求項１７記載のレンズシステム。
【請求項４５】
前記中間画像は略半円形状の画像である、請求項２６記載のレンズシステム。
【請求項４６】
中間画像に歪みを生成するために設けられた複数のレンズを有する第一のステージと、
１００°よりフィールド角が大きい広角レンズを有する広角レンズステージである第二のステージとを備えており、
前記広角レンズは、前記第一のステージの複数のレンズと同軸で、フィールド端近傍の対象物の画像が径方向に縮んだ実質的に広角な歪みを生成し、
前記中間画像の歪みが、前記広角レンズステージの実質的に広角な歪みとほぼ等しく符号が反対であるように構成され、
前記広角歪みが前記中間画像の歪みを実質的にキャンセルして実質的に歪みのない画像を投影する構成である、レンズシステム。
【請求項４７】
前記歪んだ中間画像が略円形画像である、請求項４６記載のレンズシステム。
【請求項４８】
前記歪んだ中間画像は略半円形状の画像である、請求項４６記載のレンズシステム。
【請求項４９】
前記中間画像は湾曲した像面内にある、請求項４６記載のレンズシステム。
【請求項５０】
前記第一のステージの光軸と前記第二のステージの光軸とが角度を形成するように構成されている、請求項４６記載のレンズシステム。
【請求項５１】
前記角度が約９０°であるように構成されている、請求項５０記載のレンズシステム。
【請求項５２】
前記角度が９０°より実質的に小さくなるように構成されている、請求項５０記載のレンズシステム。
【請求項５３】
前記角度が９０°より実質的に大きくなるように構成されている、請求項５０記載のレンズシステム。
【請求項５４】
台形歪みを存在させずに歪んだ中間画像を生成するための第一のステージと、
１００°より大きいフィールド角の広角レンズを有する広角レンズステージである第二のステージとを備えており、
前記第二のステージは、広角歪みにより前記中間画像の前記歪みを実質的にキャンセルして前記中間画像に対応する実質的に歪みのない画像を投影する構成である、レンズシステム。
【請求項５５】
前記歪んだ中間画像が略円形画像である、請求項５４記載のレンズシステム。
【請求項５６】
前記歪んだ中間画像は略半円形状の画像である、請求項５４記載のレンズシステム。
【請求項５７】
前記中間画像は湾曲した像面内にある、請求項５４記載のレンズシステム。
【請求項５８】
前記第一のステージの複数のレンズが同軸であり、前記第二のステージの複数のレンズが同軸であるように構成されている、請求項５４記載のレンズシステム。
【請求項５９】
略円形状の歪んだ中間画像を生成するために設けられて全ポジティブパワーを有する複数のレンズ群を含む第一のステージと、
１００°フルフィールドより大きい広角度の広角レンズを有する広角レンズステージである第二のステージとを備えており、
前記第二のステージは、前記中間画像の前記歪みを実質的にキャンセルして実質的に歪みのない画像を投影する広角歪みを生成するよう形成されている、レンズシステム。
【請求項６０】
第二の広角レンズステージは、全ポジティブパワーを有する第一のレンズ群と、全ネガティブパワーを有する第二のレンズ群とを含む、請求項４６記載のレンズシステム。
【請求項６１】
画像撮影装置と、
フィールド端近傍の対象物の画像が径方向に縮んだ実質的に広角な歪みをもった中間画像を生成するために、１００°よりフィールド角が大きい広角レンズを有する広角レンズステージと、
歪ませることによって前記中間画像の歪みを実質的にキャンセルして前記中間画像に対応する実質的に歪みのない画像を前記画像撮影装置に投影するためのリレイレンズステージと
を備えてなる、装置。
【請求項６２】
前記リレイレンズステージ及び前記広角レンズステージは同軸にあるように構成されている、請求項６１記載の装置。
【請求項６３】
前記広角レンズステージの光軸と前記リレイレンズステージの光軸が角度を形成するように構成されている、請求項６１記載の装置。
【請求項６４】
前記角度が約９０°になるように構成されている、請求項６３記載の装置。
【請求項６５】
前記角度が９０°より実質的に小さくなるように構成されている、請求項６３記載の装置。
【請求項６６】
前記角度が９０°より実質的に大きくなるように構成されている、請求項６３記載の装置。
【請求項６７】
前記実質的に歪みのない画像は、その歪みが３％より小さいものである、請求項６１記載の装置。
【請求項６８】
前記中間画像は略円形画像である、請求項６１記載の装置。
【請求項６９】
前記中間画像は略半円形状である、請求項６１記載の装置。
【請求項７０】
前記中間画像は湾曲した像面内にある、請求項６１記載の装置。
【請求項７１】
台形歪みを存在させずに広角な歪みをもつ中間画像を生成するために１００°よりフィールド角が大きい広角レンズを有する広角レンズステージと、
歪ませることによって前記中間画像の前記広角な歪みを実質的にキャンセルして実質的に歪みのない画像を前記画像撮影装置に供給するためのリレイレンズステージと
を備えてなる、カメラ。
【請求項７２】
前記リレイレンズステージ及び前記広角レンズステージは同軸にあるように構成されている、請求項７１記載のカメラ。
【請求項７３】
前記広角レンズステージの光軸と前記リレイレンズステージの光軸が角度を形成するように構成されている、請求項７１記載のカメラ。
【請求項７４】
前記角度は、約９０°、実質的に９０°より大きい角度、及び、実質的に９０°より小さい角度、のうちの１つからなるように構成されている、請求項７３記載のカメラ。
【請求項７５】
前記中間画像は略円形画像である、請求項７１記載のカメラ。
【請求項７６】
前記中間画像は略半円形状である、請求項７１記載のカメラ。
【請求項７７】
画像撮影装置のためのレンズシステムであって、
略円形画像である歪んだ中間画像を生成するために少なくとも１００°のフィールド角を提供する広角レンズステージと、
実質的に歪みのない画像を画像撮影用に生成するために、前記中間画像の前記歪みを実質的にキャンセルするリレイレンズステージと
を備えてなる、レンズシステム。
【請求項７８】
前記リレイレンズステージ及び前記広角レンズステージは同軸にあるように構成されている、請求項７７記載のレンズシステム。
【請求項７９】
前記広角レンズステージの光軸と前記リレイレンズステージの光軸が角度を形成するように構成されている、請求項７７記載のレンズシステム。
【請求項８０】
前記実質的に歪みのない画像は、その歪みが３％より小さいものである、請求項７７記載のレンズシステム。